(57)【要約】      （修正有）【課題】箱形錠、サークル錠の自転車用錠において、防水、防錆を目的とする以外に、軟らかくて緩衝性にも優れたカバーを開発する。【解決手段】箱形錠またはサークル錠型の錠前１の取り付け部材３、４、５の外端部を、エラストマー製のカバー７で覆うとともに、該カバーの内部に成形したボルト受け穴８に取り付けボルト４の先端部を圧入して、該取り付け部材に、防水性とと共に緩衝性を付与したことを特徴とする自転車用錠。【選択図】図１
0003117697.tif 000002
【実用新案登録請求の範囲】
【請求項１】
自転車用錠において、錠前の取り付け部材の外端部を、エラストマー製のカバーで覆うとともに、該カバーの内部に成形したボルト受け穴に上記取り付けボルトの先端部を圧入して、該取り付け部材に、防水性と緩衝性とを付与したことを特徴とする自転車用錠。
【請求項２】
前記錠前に、施錠機構と直杆形の錠杆等を内部に組み込み、裏面に、左右一対の取り付けボルトを突出させた取り付け金具を組み付けた箱形錠を用い、前記取り付け部材として上記取り付け金具と、この金具と自転車の車体を挟んで対向して、上記取り付けボルトを挿通する受金具とを備え、該受金具の外周を、エラストマー製のカバーで覆うとともに、同カバーの内部に成形したボルト受け穴に上記取り付けボルトの先端部を圧入して、同穴内に抜け止めしたことを特徴とする請求項１記載の自転車用錠。
【請求項３】
前記錠前に、施錠機構と円弧形の錠杆等を円弧形の錠本体内に組み込み、裏面に、前記取り付け部材として、先端部に挿通した連結ボルトにより自転車の車体に取り付けられる取り付け金具を一体に備えたサークル錠を用い、上記取り付け金具の、車体への取り付け時に屈曲するバンド部分と、上記先端部と、上記取り付けボルトの緊締位置との外周を、エラストマー製のカバーで覆うとともに、同カバーの内部に成形したボルトの受け穴に取り付けボルトの先端部を圧入したことを特徴とする請求項１記載の自転車用錠。
【考案の詳細な説明】
【技術分野】
【０００１】
本考案は、自転車用錠、特に、一般に箱形錠と称される自転車用錠と、円弧形をなすサークル錠とに関し、取り付け状態にある錠前の取り付け部材の外端部をエラストマー製のカバーで覆ったことを特長とする。
【背景技術】
【０００２】
自転車用錠の取り付け金具に樹脂製のカバーを被せるようにしたものには、例えば、特許文献１がある。
また、サークル錠型の自転車用錠の取付けバンドを固定するリベットの上からゴム製のカバーを被せるようにしたものには、例えば、特許文献２がある。
【０００３】
【特許文献１】特開２００２−１７８９６９号公報（第１頁、図１〜４参照）
【特許文献２】特開２００５−１４５２５９号公報（第３頁、図３参照）
【０００４】
特許文献１のカバーは、サークル錠型の自転車用錠の取り付けバンドに樹脂製のカバーを被せ、取り付けバンドの両端を止めねじで緊締してホークに取り付けた後に、取り付けバンドの外周を上記カバーで覆うようにしたので、取り付け部分に防水性を付与することはできるが使用者等が不用意に取り付け部分に衝突したときの緩衝性に劣る欠点があった。
特許文献２のカバーは、取り付けバンドを固定したリベットを防水して錆び付きを防ぐことを目的にしているので部分的なカバーはできても、取り付け部分全体を覆うまでには至っていないという問題があった。
【考案の開示】
【考案が解決しようとする課題】
【０００５】
上記従来のカバーは、サークル錠型の自転車用錠の取り付け部の錆び付きの防止を目的として提案されおり、箱形錠の自転車錠においては取り付け部にカバーを被せるという発想がなされていなかった。
一方で、箱形錠またはサークル錠のこの種の自転車用錠に共通して、車体の外側に錠前の取り付け部分が突出するので、不用意に使用者がけがをし易いというおそれがあった。
そのため、箱形錠、サークル錠の自転車用錠において、防水、防錆を目的とする以外に、緩衝性にも優れて不用意に突出部分に接触したときのけがを防止できるようにしたカバーを開発することが解決すべき課題となっていた。
【課題を解決するための手段】
【０００６】
そこで本考案は、上記の課題を解決するために、自転車用錠において、錠前の取り付け部材の外端部を、エラストマー製のカバーで覆うとともに、該カバーの内部に成形したボルト受け穴に上記取り付けボルトの先端部を圧入して、該取り付け部材に、防水性と緩衝性とを付与したことを特徴とする自転車用錠を提供するものである。
【０００７】
請求項２は、錠前に、施錠機構と直杆形の錠杆等を内部に組み込み、裏面に、左右一対の取り付けボルトを突出させた取り付け金具を組み付けた箱形錠を用い、取り付け部材として上記取り付け金具と、この金具と自転車の車体を挟んで対向して、上記取り付けボルトを挿通する受金具とを備え、該受金具の外周を、エラストマー製のカバーで覆うとともに、同カバーの内部に成形したボルト受け穴に上記取り付けボルトの先端部を圧入して、同穴内に抜け止めすることにより、防水、防錆を目的とする以外に、取り付け操作を簡単、容易にするとともに、緩衝性にも優れたカバーを備えた箱形錠を提供するものである。
【０００８】
請求項３は、錠前に、施錠機構と円弧形の錠杆等を円弧形の錠本体内に組み込み、裏面に、前記取り付け部材として、先端部に挿通したにより自転車の車体に取り付けられる取り付け金具を一体に備えたサークル錠を用い、上記取り付け金具の、車体への取り付け時に屈曲するバンド部分と、上記先端部と、上記取り付けボルトの緊締位置との外周を、エラストマー製のカバーで覆うとともに、同カバーの内部に成形したボルト受け穴に上記取り付けボルトの先端部を圧入することにより、防水、防錆を目的とする以外に、取り付け操作を簡単、容易にするとともに、緩衝性にも優れたカバーを備えた箱形錠を提供するものである。
【考案の効果】
【０００９】
本考案に係る自転車用錠は、取り付け状態において器体及び車体外に突出し易い部分に、エラストマー製のカバーを被せるようにしたので、防水と防錆を具えるとともに、緩衝性にも優れて不用意に接触したときのけがを防止できるようにしたカバーを備えた自転車用錠の使用ができる。以上のようにして本考案は前記の課題を解決したものである。
【考案を実施するための最良の形態】
【００１０】
自転車用錠において、箱形錠またはサークル錠型の錠前の取り付け部材の外端部を、エラストマー製のカバーで覆うとともに、該カバーの内部に成形したボルト受け穴に上記取り付けボルトの先端部を圧入して、該取り付け部材に、防水性と緩衝性とを付与したことを特徴とする自転車用錠。
【実施例】
【００１１】
実施例１は、箱形錠に本考案を用いた場合のもの、実施例２は、サークル錠に本考案を用いた場合のもので、以下に本考案をこの実施例について説明する。
図１は、実施例１の使用状態を示す一部切欠分解斜視図、図２は、カバーを被せた状態の一部切欠横断平面図、図３は、実施例２に用いる取り付け金具の斜視図、図４は、実施例２に用いるカバーの斜視図、図５は、カバーの使用状態を示す断面図である。
【００１２】
実施例１を示す図において、１は、図示省略の施錠機構と直杆形の錠杆２（図２参照）等を内部に組み込んだ箱錠形の錠前、３は、錠前１の底部裏面に組み付けられ、裏面（図示手前側）に左右一対の取り付けボルト４を突出させた取り付け金具、５は、自転車の車体、実施例においては自転車の前ホーク６を挟んで取り付け金具３と対向し、取り付けボルト４を挿通する受金具である。
上記取り付け金具３および受金具５は、従来公知のものを使用している。
【００１３】
７は、受金具５の外周を図２に示すように覆うエラストマー製のカバー、８は、カバー７の内部に取り付けボルト４の間隔に対応して一体成形したボルト受け穴で、この実施例においては、カバー７の底面から立ち上げた柱状部９の頂面に開口して取り付けボルト４を抜け止めする適宜の深さを有する。
【００１４】
なお、図中１０は、取り付け金具３の前面部３’（図示右側）に開口する錠杆２の挿通孔、１１は、取り付け金具３と錠前１を後端部で連結する掛止爪、１２は、取り付け金具３と錠前１を前端部で締結する止めねじ、１３は、錠前１の上部に開口し、図示省略の施錠機構に端末を連結するレリースワイヤの挿入孔で、レリースワイヤの基端は、自転車の別の位置に取り付ける錠前（例えば、サークル錠）の施錠動作、開錠動作に錠前１を連動させるように用いられる。
【００１５】
図１に示すように、受金具５を挿通した取り付けボルト４に、図２に示すように、カバー７を被せ、カバー７内に突出する取り付けボルト４の先端部分を柱状部９の頂面に開口しているボルト受け穴７内に圧入することによって、錠前１の取り付け部材（受金具５と取り付けボルト４）の外端部は、エラストマー製のカバー７で覆われ、突出部分に防水性と緩衝性とが付与される。
【００１６】
次ぎに、実施例２を図３、４、５について説明する。
同上図中、１４は、それぞれ図示を省略した、施錠機構と円弧形の錠杆等を円弧形の錠本体内に組み込み込んだサークル錠型の錠前の裏面に、取り付け部材として一体に備えられ、図５に示すように、先端部１５に挿通し、緊締する取り付けボルト１６により、自転車の車体（例えば後ホーク１７）に取り付けられる取り付け金具、１８は、車体１７への取り付け時に屈曲するバンド部分、１９は、取り付け金具のバンド部分１８と、先端部１５と、取り付けボルト１６の緊締位置との外周を覆うエラストマー製のカバー（図４参照）である。
【００１７】
カバー１９は、一端を開放した円弧形に形成され、底部にバンド部分１８の先端部１５を嵌合する収容部２０を設け、収容部２０の側面に開口する取り付けボルト１６の受け孔２１と、カバー１９の他端部を貫通するボルト挿通用の挿通孔２２を有する。
なお、図中２３は、取り付けボルト１６の締結端部に螺合する弛み止めのナットである。
【００１８】
カバー１９は、図５に示すように、取り付け金具のバンド部分１８の外周を覆い、収容部２０に、バンド部分１８の先端部１５と、締結状態の取り付けボルト１６を嵌合し、該ボルト１６の先端部をカバー１９の他端部の挿通孔２２に挿通させるとともに、収容部２０の側面に開口する受け孔２１内に、取り付けボルト１６の先端部分と共にナット２３を圧入させ、厚肉に形成した収容部２０の側面内に取り付けボルト１６を固定する。
上記のようにして、エラストマー製のカバー１９により、錠前の取り付け部材（バンド部分１８と先端部１５と受金具５と取り付けボルト１６）を覆った実施例２には、突出部分に防水性とともに緩衝性が付与される。
【００１９】
以上の説明から明らかなように、取り付け状態において錠前の器体及び車体の外に突出し易い部分に、軟らかいエラストマー製のカバーを被せた本考案自転車用錠は、カバーの取り付けにより防水性と防錆性とが具わるとともに、緩衝性にも優れているので、使用者などが不用意に取り付け部分に接触した場合のけがを予防して、安全性の高い自転車用錠の使用ができる。
【産業上の利用可能性】
【００２０】
本考案において、エラストマー製カバーを装着する箱形錠、サークル錠の形状は、図示した実施例の態様のみに限らず、本考案の要旨に沿って適宜に選択できる。
【図面の簡単な説明】
【００２１】
【図１】図１は実施例１を示す一部切欠縦断背面図である。
【図２】図２は実施例１の開錠状態を示す一部切欠縦断背面図である。
【図３】図３は実施例２に用いる取り付け金具の斜視図である。
【図４】図４は実施例２に用いるカバーの斜視図である。
【図５】図５はカバーの使用状態を示す断面図である。
【符号の説明】
【００２２】
１  錠前
２  錠杆
３  取り付け金具  （３’  前面部）
４  取り付けボルト
５  受金具
６  前ホーク
７  カバー
８  ボルト受け穴
９  柱状部
１０  錠杆の挿通孔
１１  掛止爪
１２  止めねじ
１３  ワイヤーの挿入孔
１４  取り付け金具
１５  先端部
１６  取り付けボルト
１７  後ホーク
１８  バンド部分
１９  カバー
２０  収容部
２１  受け孔
２２  挿通孔
２３  弛み止めナット
【図１】
0003117697.tif 000003
【図２】
0003117697.tif 000004
【図３】
0003117697.tif 000005
【図４】
0003117697.tif 000006
【図５】
0003117697.tif 000007